(57)【要約】【課題】発明者は特許第１７３３９６６号により、磁性微粒子にモノクローナル抗体を取り付け、これをガン細胞に取り込み、電磁誘導加熱する温熱治療用被誘導加熱体を提案した。本方式については実用化に向けた研究が進んでいる。今後の課題としては治療効果の更なる向上により、治療方式を確立することにある。【解決手段】がん細胞に取り込んだ磁性微粒子を高感度磁気センサにより、その位置を確認し、この位置を静磁場を発生する電磁コイルの中央位置に合わせ、追加の磁性微粒子を静磁場により集め、更に磁性微粒子を励磁して磁力により集める温熱治療用被誘導加熱体【選択図】    図２
2006055609.tif 000002
【特許請求の範囲】
【請求項１】
磁性微粒子にモノクローナル抗体を取り付け、これをガン細胞内に取り込んで電磁誘導加熱する温熱治療において、電磁石の静磁場によって電磁石の中央位置にガン細胞に取り込んだ磁性微粒子の位置に合わせて磁性微粒子を集め、電磁誘導加熱する温熱治療用被誘導加熱体
【請求項２】
磁性微粒子にモノクローナル抗体を取り付け、これをガン細胞内に取り込んで電磁誘導加熱する温熱治療において、ガン細胞内に取り込んだ磁性微粒子を励磁し、磁力により周囲の磁性微粒子を集める温熱治療用被誘導加熱体
【請求項３】
磁性微粒子にモノクローナル抗体を取り付け、これをガン細胞内に取り込んで電磁誘導加熱する温熱治療においてガン細胞内に取り込んだ磁性微粒子に向かって磁力で集まる励磁した磁性微粒子で構成した温熱治療用被誘導加熱体
【請求項４】
磁性微粒子にモノクローナル抗体を取り付け、これをガン細胞内に取り込んで電磁誘導加熱する温熱治療において、磁性微粒子を既に取り込んだガン細胞に追加の磁性微粒子を電磁石の磁力により集め、これを電磁誘導加熱する治療システム
【請求項５】
磁性微粒子にモノクローナル抗体を取り付け、これを細胞内に取り込んで電磁誘導加熱する温熱治療において、ガン細胞に取り込んだ磁性微粒子と追加の磁性微粒子のどちらか一方または双方の磁力により追加の磁性体をガン細胞に集める治療システム
【発明の詳細な説明】
【発明の詳細な説明】
【技術分野】
【０００１】  この発明は、磁性微粒子にモノクローナル抗体を付けて人体に注射し、ガン細胞に磁性微粒子を取り込ませた後に電磁誘導加熱により、ガン細胞を消滅させる治療に関するものである。
【背景技術】
【０００２】  発明者は特許第１７３３９６６号において前記技術分野において説明した内容の基本特許を取得した。この治療方法についてはその後、ガン細胞への磁性微粒子の取り込み量の増大のための改良案としてリン脂質で磁性微粒子を修飾する方式が特許公開平成９年第１１０７２２により提案されている。
【特許文献１】特許第１７３３９６６号
【特許文献２】公開特許公報平成９年第１１０７２２号
【発明の開示】
【発明が解決しようとする課題】
【０００３】  前記の治療法はガンを消滅させることを動物実験により、確認されているが臨床試験は未だ行われていない。今後、臨床試験により更に精密に確認をしてゆくことになるが、本治療法は未だ開発過程にある新療法であり、今後の大きな課題は温熱によるガンの消滅を確実にするための更なる改良である。
【課題を解決するための手段】
【０００４】  本発明はこのような要請に応えるため、磁性微粒子をリン脂質で修飾し、これにモノクローナル抗体を付けて、これを人体に注射し、ガン細胞に取り込ませた後、更に外部磁場により、ガン細胞の部分に磁性微粒子が集まる磁場勾配とし、磁力によりガン細胞に追加の磁性微粒子を集合させる手段及びガン細胞内に既に取り込まれた磁性微粒子との磁力の作用により、更に磁性微粒子をガン細胞内に取り込ませる手段により、治療効果を改善するものである。
【発明の効果】
【０００５】  本発明は以上のような構成であるので、モノクローナル抗体を付けた磁性微粒子をリン脂質で修飾し、モノクローナル抗体の誘導により、磁性微粒子をガン細胞に取り込ませる方式に較べて更に多くの磁性微粒子をガン細胞に集めることが出来るので治療効果を大幅に改善出来る。
【発明を実施するための最良の形態】
【０００６】  本発明の実施例について、説明図によって基本的な原理を説明する。予めリン脂質で修飾し、モノクローナル抗体を付けた磁性微粒子１を被加熱体６に注射し、ガン細胞３の内部に磁性微粒子１を取り込ませる。次に高感度磁気センサ等により、がん細胞３内に取り込んだ微粒子１の位置を正確に検出する。または原発性のガンであればＭＲＩやＰＥＴの診断でガンの位置を正確に知ることが出来る。次に図２の静磁場を発生する電磁石５の内部に被加熱体６を入れて、ガン細胞３の位置が電磁石５の中央になるようにセットする。次に追加の磁性微粒子２を被加熱体６に注射する。次に電磁石５に通電し、静磁場を発生させる。電磁石５内の静磁場では電磁石５の中央に磁性体を引き寄せる力が働き、がん細胞３の内部の磁性体１に向かって磁性体２が集まる。磁場の印加により、既に細胞の内部に取り込まれた磁性微粒子１を励磁し、ガン細胞の周囲に集合した磁性微粒子２を磁力により引き寄せる。次に電磁誘導加熱により、磁性体１及び磁性体２を電磁誘導加熱する。以上によりがん細胞を磁性体１及び磁性体２により、加熱消滅させる。以上が基本的な原理である。次にこの構成について述べる。磁性微粒子１はマグネタイトをリン脂質で修飾し、モノクローナル抗体を付けて使用することにより、ガン細胞３への取り込み量を増大する方式が実施されている。このマグネタイト微粒子について次のような改善が出来る。即ち、マグネタイト微粒子について酸化処理により、ガンマ酸化鉄微粒子に変化させる。ガンマ酸化鉄微粒子は天然磁石となる性質があるのでこれをキュリーポイントを越える熱処理により、残留磁性を消去する。これをリン脂質で修飾し、モノクローナル抗体を付け、被加熱体６の体内に注射し、ガン細胞３に取り込ませる。がん細胞３に取り込まれたガンマ酸化鉄微粒子に静磁場を印加することにより、ガンマ酸化鉄は天然磁石としての磁性を帯びる。その結果、周囲の磁性微粒子２を集める機能を持つことが出来る。ガンマ酸化鉄の磁性を一旦消去する理由は残留磁性により、マグネタイト微粒子を使用した場合と較べて不都合な挙動発生防止のためである。前記のマグネタイト微粒子の代わりに発熱効率の良いＭｇフエライト微粒子を使用することも出来る。がん細胞に取り込まれた磁性微粒子１に集合させる磁性微粒子２についてはリン脂質で修飾し、モノクロ−ナル抗体を付ける。磁性微粒子２については更に別の方法としてポリエチレンイミン等のプラスの電荷を帯びた物質を付けて細胞内への取り込みの増大を図ることも出来る。更に磁性微粒子２についてはマグネタイトを酸化処理により、ガンマ酸化鉄とし、これを消磁し、ガン患者の体内に注射した後、静磁場により磁場印加して集める方法が出来る。さらに磁性微粒子２は熱効率の良いＭｇフエライトを使用することも出来る。更に磁性微粒子２は超微粒子サイズにおいてのみ強磁性を示すＰｄＦｅ合金微粒子を使用することも出来る。がん細胞内に取り込まれた磁性微粒子１と追加で取り込まれた磁性微粒子２を励磁する事により、電磁石５の治療を終了した後もガン細胞３内の磁性微粒子１及び磁性微粒子２の磁力により、更に周囲の磁性微粒子２の取り込みを継続することが出来る。磁性微粒子１、磁性微���子２は人体に注射された後、毛細血管に達して細胞周囲を移動するが、毛細血管内の血流速度は毎秒０．０５〜０．１ＣＭと極めて低速度であり、磁界の力の作用により、細胞周囲に引き付けることが可能である。次に電磁石５について述べる。静磁場を発生する電磁石５の内部において、内部の磁性体にはコイルの中央部に引き寄せる電磁力が働く。電磁石５の中央位置においては磁性体はコイル両端からの電磁力が拮抗して釣り合い安定する。電磁石５は静磁場の発生に使用した後、電磁誘導加熱用としても利用出来る。電磁石５は銅線コイルによる電磁石、超伝導電磁石を目的によって使用できる。超伝導電磁石の静磁場は強力であり、静磁場でありながら磁性体に渦電流を発生させ、磁性体を昇温させ、ガン細胞３を消滅させる電磁誘導装置と兼ねることも出来る。本方式は電磁石中央の位置にガン患者のがん細胞位置を合わせることが必要である。ガン細胞の位置はがん細胞内部に取り込まれた磁性微粒子１の位置を高感度磁気センサ等により、検知し、この位置をセットし、次に電磁石５のコイルの中央位置に前記のセットした位置を合わせるよう電磁石５またはベッド３を３次元的に移動可能な構成とする。
【図面の簡単な説明】
【０００７】
【図１】本発明の実施例の形態に従った一実施例の説明図
【図２】本発明に関わる電磁石装置を示す説明図である。
【符合の説明】
【０００８】  １：微粒子
２：微粒子
３：細胞
４：印加回路
５：ベッド
６：被加療体
７：電磁石
８：コントローラー
【図１】
2006055609.tif 000003
【図２】
2006055609.tif 000004